(57)【要約】【課題】初心者等の技量レベルの低い遊技者でも、回転リールを停止させるための操作をするタイミングを比較的容易に察知でき、所望の図柄を停止させることが可能な遊技機を提供する。【解決手段】周囲に複数個の図柄51を表示しかつ所定の幅を有するリールテープ30が貼付されている回転リール40を複数有する遊技機において、リールテープ30に幅方向の少なくともいずれか一方の縁を複数の表示領域53にまたがって切り欠いた切り欠き部65を有し、切り欠き部65に対応したリールテープ30の縁には、複数の表示領域53にまたがり、回転方向の一方側から回転方向の他方側へ向かうに従って、リールテープ30の幅の中心方向へ向かうように形成されている斜行部80を有し、この斜行部80の回転方向の一端又は他端のいずれか一方が補助領域54内に位置するように形成する。【選択図】図５
2008220756.tif 000002
【特許請求の範囲】
【請求項１】
周囲に複数個の図柄を回転方向へ向けて連続して表示しかつ所定の幅を有するリールテープが貼付されている複数の回転リールと、
回転リールの図柄が視認可能に形成された表示窓と、
図柄の組み合わせにより構成される当選役に当選したか否かの抽選を行うための当選抽選手段と、
当選抽選手段の抽選結果により所定の当選役に当選し、かつ、回転リールの回転を停止させるための停止操作が行われた場合に、有効ライン上に直ちに停止可能な図柄から回転リールの反回転方向側における予め定められた個数の範囲内に位置する図柄までの中に前記当選役を構成する図柄があるときは、この当選役を構成する図柄が有効ライン上に停止するように、回転リールを停止させる停止制御手段と、
全ての回転リールの回転が停止した場合に、前記当選役を構成する図柄の組み合わせが有効ライン上に停止しているとき入賞と判定する入賞判定手段とを備えた遊技機であって、
前記回転リールにおける１の図柄が表示されている領域を表示領域とし、
前記回転リールは、
前記有効ライン上に停止させる対象の図柄である停止目標図柄を有し、
回転リールの周囲における前記停止目標図柄と回転リールの回転方向側に隣接する図柄から、停止目標図柄から予め定められた個数の範囲内に位置する図柄までの、複数個の表示領域を補助領域とし、
前記リールテープは、
幅方向の少なくともいずれか一方の縁を、複数の表示領域にまたがって切り欠いた切り欠き部を有し、
切り欠き部に対応したリールテープの縁には、複数の表示領域にまたがり、回転方向の一方側から回転方向の他方側へ向かうに従って、リールテープの幅の中心方向へ向かうように形成されている斜行部を有し、
前記斜行部は、回転方向の一端又は他端のいずれか一方が補助領域内に位置するように形成されていることを特徴とする遊技機。
【請求項２】
前記回転リールは、
前記停止目標図柄を複数有し、
前記リールテープは、      
各停止目標図柄にそれぞれ対応した切り欠き部を有し、
各停止目標図柄にそれぞれ対応した補助領域内に、各停止目標図柄にそれぞれ対応した切り欠き部における前記斜行部の回転方向の一端又は他端のいずれか一方が位置していることを特徴とする請求項１記載の遊技機。
【請求項３】
前記当選役として、
前記回転リールのうちいずれか一の回転リールにおける停止図柄の表示態様により入賞となる1リール確定役と、前記回転リールのうち複数の回転リールにおける停止図柄の表示態様により入賞となる複数リール確定役とを有し、
前記回転リールとして、
１リール確定役を構成する１リール当選図柄を停止目標図柄として表示した1リール当選回転リールと、
複数リール確定役を構成する複数リール当選図柄を停止目標図柄として表示した複数リール当選回転リールとが備えられていることを特徴とする請求項１又は２記載の遊技機。
【発明の詳細な説明】
【技術分野】
【０００１】
この発明は、遊技機に関し、更に詳しくは、所定の図柄を容易に停止表示させるように回転リールを停止させることが可能な遊技機に関する。
【背景技術】
【０００２】
従来より、回転リールを有する遊技機であるスロットマシン等では、遊技者が回転リールを停止させるためのストップスイッチを押してから、一定時間以内に回転リールを停止させるように規定されている。したがって、ストップスイッチを押してから回転リールを停止させるまでの間に、回転リールの周囲に表示されている図柄の移動数に制限があり、通常のスロットマシンでは、ストップスイッチを押してから、すぐに停止させるという停止制御や、ストップスイッチを押してから、最大「５」コマの範囲で図柄を移動させる停止制御などを行うことができるように形成されている。また、スロットマシンでは、通常、当選か否かの抽選が行われ、抽選により当選役を構成する図柄については、最大「５」コマの範囲で、入賞するための図柄配列である入賞ライン上に極力停止するように、回転リールは停止制御がされていた。
【０００３】
具体的には、例えば、抽選の結果、特別遊技の当選役である、いわゆるビッグボーナスに当選したとすると、ストップスイッチが操作された際、ビッグボーナスを構成する図柄である「７」が、ストップスイッチを押してから前記した一定範囲（「５コマ」）内に存在する場合には、これを入賞ライン上に停止させるような停止制御が行われていた。
また、遊技者は、所定の当選役に当選したことを、遊技機のランプや液晶表示装置等が報知することにより察知し、前記当選役を構成する図柄を入賞ライン上に停止させるようなタイミングでストップスイッチを操作することにより、前記当選役を入賞させるようになっていた。
【０００４】
しかしながら、回転リールは高速で回転しており、例えば、ビッグボーナス等の当選役を構成する単一図柄（例えば、「７」）は、瞬時に遊技者の目の前と通りすぎていくため、単一図柄である当選役を構成する図柄を狙って停止させることは困難であった。
そこで、例えば、特許文献１記載の発明では、特別遊技を構成する単一図柄である「７」を狙って停止させることができるように、「７」の図柄だけを他の図柄に対して大きくなるように形成したり、また、「７」の図柄の一部又は全部を透明又は半透明に形成し、かつ、回転リールを含む回転リールユニット内部に光源を備えるようにして、「７」の図柄が目の前を通過に際に、回転リールユニット内部の光源による照明が目に付くように形成することにより、特別遊技を構成する単一図柄の「７」を狙い易くするようなことも行われていた。
【特許文献１】特開平１０−２９０８５６
【発明の開示】
【発明が解決しようとする課題】
【０００５】
しかしながら、特許文献１記載の発明のように、特定の図柄だけを他の図柄に対して大きく形成したり、また、特定の図柄の一部又は全部を、透明又は半透明にするように回転リールを形成するとともに回転リールを含む回転リールユニット内部に光源を備えるようにして単一の図柄を目に付くように形成したとしても、単一の図柄の通過を目視により確認することは困難であった。
また、回転リールの回転速度は高速であるため、所定の位置に停止させようとする図柄を目視してからストップスイッチを操作しても、タイミングが遅くなり、停止させようとする図柄が所定の位置を通り過ぎてしまい、停止させようとする図柄を確実に所定の位置に停止させることができない。また、ストップスイッチを操作するタイミングを若干早めようとしても、初心者等の技量レベルの低い遊技者にとっては、そのタイミングを計ることが困難であり、やはり、停止させようとする図柄を確実に所定の位置に停止させることができなかった。特に、図柄を遊技者に表示する表示窓の、上段に位置する入賞ラインに図柄を停止させなければならない場合には、目視することができない表示窓の外側から、突如として出現する所定の図柄を停止させなければならず、タイミングを計ってストップスイッチを操作することがさらに困難であった。
【０００６】
そこで、本発明は、上記状況に鑑み以下の点を目的とする。
（請求項１）
すなわち、請求項１記載の発明は、周囲に複数個の図柄を回転方向へ向けて連続して表示し、かつ所定の幅を有するリールテープが貼付されている複数回転リールを有する遊技機において、１の図柄が表示されている領域を表示領域とし、有効ライン上に停止させる対象の図柄を停止目標図柄とし、回転リールの回転方向側に隣接する図柄から、停止目標図柄から予め定められた個数の範囲内に位置する図柄までの、複数個の表示領域を補助領域とし、リールテープに幅方向の少なくともいずれか一方の縁を複数の表示領域にまたがって切り欠いた切り欠き部を有し、切り欠き部に対応したリールテープの縁には、複数の表示領域にまたがり、回転方向の一方側から回転方向の他方側へ向かうに従って、リールの幅の中心方向へ向かうように設けられている斜行部を有し、この斜行部の回転方向の一端又は他端のいずれか一方を補助領域内に位置するように形成することにより、初心者等の技量レベルの低い遊技者でも、リールテープに設けられた斜行部を見ながら回転リールを停止させるための操作をすることができ、回転リールを停止させるための操作をするタイミングを比較的容易に察知し、遊技者が、所望の図柄を所定の位置に停止させることが可能な遊技機を提供することを目的とする。
【０００７】
（請求項２）
すなわち、請求項２記載の発明は、請求項１記載の発明に加えて、リールテープに、複数の停止目標図柄にそれぞれ対応した切り欠き部を有し、各停止目標図柄にそれぞれ対応した補助領域内に、各停止目標図柄にそれぞれ対応した切り欠き部における前記斜行部の回転方向の一端又は他端のいずれか一方が位置するようにすることにより、複数の停止目標図柄を有する回転リールについても、回転リールを停止させるための操作をするタイミングを比較的容易に察知でき、遊技者が、所望の図柄を所定の位置に停止させることが可能な遊技機を提供することを目的とする。
【０００８】
（請求項３）
すなわち、請求項３記載の発明は、請求項１又は２記載の発明に加えて、当選役として、回転リールのうちいずれか一の回転リールにおける停止図柄の表示態様により入賞となる1リール確定役と、回転リールのうち複数の回転リールにおける停止図柄の表示態様により入賞となる複数リール確定役とを有し、１リール確定役を構成する１リール当選図柄を停止目標図柄として表示した1リール当選回転リールと、複数リール確定役を構成する複数リール当選図柄を停止目標図柄として表示した複数リール当選回転リールとを備えることにより、当選した当選役を効率良く確実に入賞させることができ、技量レベルの優劣により得失を抑えることが可能な遊技機を提供することを目的とする。
【課題を解決するための手段】
【０００９】
各請求項にそれぞれ記載された発明は、前述の目的を達成するためになされたものである。なお、符号は、発明の実施の形態において用いた符号を示し、本発明の技術的範囲を限定するものではない。
（請求項１）
（特徴点）
請求項１記載の発明は、次の点を特徴とする。
すなわち、請求項1記載の発明は、周囲に複数個の図柄51を回転方向へ向けて連続して表示しかつ所定の幅を有するリールテープ30が貼付されている複数の回転リール40と、回転リール40の図柄51が視認可能に形成された表示窓14と、図柄51の組み合わせにより構成される当選役に当選したか否かの抽選を行うための当選抽選手段120と、当選抽選手段120の抽選結果により所定の当選役に当選し、かつ、回転リール40の回転を停止させるための停止操作が行われた場合に、有効ライン上に直ちに停止可能な図柄51から回転リール40の反回転方向側における予め定められた個数の範囲内に位置する図柄51までの中に前記当選役を構成する図柄51があるときは、この当選役を構成する図柄51が有効ライン上に停止するように、回転リール40を停止させる停止制御手段130と、全ての回転リール40の回転が停止した場合に、前記当選役を構成する図柄51の組み合わせが有効ライン上に停止しているとき入賞と判定する入賞判定手段140とを備えた遊技機であって、前記回転リール40における１の図柄51が表示されている領域を表示領域53とし、前記回転リール40は、前記有効ライン上に停止させる対象の図柄51である停止目標図柄52を有し、回転リール40の周囲における前記停止目標図柄52と回転リール40の回転方向側に隣接する図柄51から、停止目標図柄52から予め定められた個数の範囲内に位置する図柄51までの、複数個の表示領域53を補助領域54とし、前記リールテープ30は、幅方向の少なくともいずれか一方の縁を、複数の表示領域53にまたがって切り欠いた切り欠き部65を有し、切り欠き部65に対応したリールテープ30の縁には、複数の表示領域53にまたがり、回転方向の一方側から回転方向の他方側へ向かうに従って、リールテープ30の幅の中心方向へ向かうように形成されている斜行部80を有し、前記斜行部80は、回転方向の一端又は他端のいずれか一方が補助領域54内に位置するように形成されていることを特徴とする。
【００１０】
ここで、「遊技機」としては、例えば、遊技媒体としてのメダルを用いて遊技を行うスロットマシン10や、遊技媒体としての遊技球を用いてスロットマシンと同様の遊技を行うパロット（登録商標）等が挙げられる。
また、「回転リール40」は、リールテープ30が貼付されている。また、リールテープ30は、周囲に複数個の図柄51が表示されている。また、リールテープ30に表示されている図柄51は回転方向へ向けて連続して表示されている。また、回転リール40は、具体的には、例えば、円筒状の回転ドラム、及び、回転ドラムの外周面に添付され、かつ、リールテープ30が周囲に貼付されている。回転ドラムに、回転駆動のための駆動装置25（例えば、ステッピングモータ）を取り付け、この駆動装置25の駆動により回転ドラムを回転させるように形成することができる。また、回転リール40は複数個設けられている。具体的には、例えば、回転リール40を３個設置するように遊技機を形成することができる。
【００１１】
また、リールテープ30に表示される図柄51の数は、特に限定されるものではなく、例えば、全部で２１個の図柄51を表示させることができる。
また、「表示窓14」は、回転リール40の図柄51が視認可能に形成されている。具体的には、例えば、表示窓14を全ての回転リール40の正面側を臨むように形成することができる。そして、回転リール40が停止しているときに、この表示窓14を介して、回転リール40のいくつかの図柄51を視認可能に形成することができる。換言すれば、回転リール40が停止すると、回転リール40のいくつかの図柄51が、表示窓14を介して、停止表示されることとなる。また、表示窓14内における各回転リール40の図柄51の停止位置を組み合わせて、後述する有効ラインが形成される。
【００１２】
また、「当選抽選手段120」は、当選役に当選したか否かの抽選を行うためのものである。また、「当選役」とは、当選役とは、図柄51の組み合わせにより構成されるものであって、予め定められることができる。また、当選役は、例えば、同一の図柄51を複数個組み合わせた表示態様とすることができる。具体的には、「７」「７」「７」により構成されるビッグボーナス当選（ＢＢ当選）や、「ベル」「ベル」「ベル」により構成されるベル当選などが挙げられる。また、一の図柄51と他の図柄51を組み合わせた態様とすることができる。具体的には、「スター」「ＡＮＹ」「ＡＮＹ」（「ＡＮＹ」はいずれの図柄51でも構わないことを意味する）により構成されるスター当選などが挙げられる。
【００１３】
また、例えば、当選抽選手段120に、所定の数値範囲内で乱数を発生させるための乱数発生手段122、乱数発生手段122が発生させた乱数を抽出する乱数抽出手段124、乱数抽出手段124により抽出した乱数がとる数値領域の範囲内であって、当選役に対応した所定の数値領域を有する当選領域を複数備えた当選判定テーブル126、乱数発生手段122により発生し、乱数抽出手段124により抽出された乱数が当選判定テーブル126のいずれかの当選領域に属するか否かを判定するための当選判定手段128等を備えることができる。
また、「停止制御手段130」は、当選抽選手段120の抽選結果により所定の当選役に当選し、かつ、回転リール40を停止させるための停止操作が行われた場合に、回転リール40の回転を停止させるものである。また、停止制御手段130は、回転リール40の回転を停止させる際、有効ライン上に直ちに停止可能な図柄51から、回転リール40の反回転方向側における予め定められた個数の範囲内に位置する図柄51までの中に、前記当選役を構成する図柄51があるときは、この当選役を構成する図柄51が有効ライン上に停止するように、回転リール40の回転を停止させるものである。
【００１４】
すなわち、回転リール40の停止操作が行われた場合、有効ライン上に停止できる図柄51から、所定個数の範囲内に、当選した当選役を構成する図柄51が存在する場合、この図柄51を有効ライン上に引き込んで、回転リール40を停止させることとなる。
ここで、「有効ライン」は、表示窓14内における各回転リール40の図柄51の停止位置を組み合わせて構成されるラインである。例えば、回転リール40として、左回転リール41、中回転リール42、及び、右回転リール43の３個の備えるように形成し、各回転リール40が停止した際に、表示窓14内の上段位置、中段位置、下段位置にそれぞれ図柄51が停止するように形成されている遊技機においては、左回転リール41、中回転リール42、及び、右回転リール43それぞれの停止位置を一直線に結ぶことが可能なライン（上段ライン92、中段ライン91、下段ライン93、右上がりライン94、右下がりライン95）を有効ラインとすることができる。
【００１５】
また、「回転リール40の反回転方向側」とは、回転リール40が回転する方向と対向する側を意味するものである。例えば、前記表示窓14を基準として、回転リール40に付された図柄51が表示窓14の上側から下側へ向けて移動している場合には、下方側が回転リール40の回転方向側となる。したがって、この場合、上方側が回転リール40の反回転方向側となる。
また、「予め定められた個数」としては、具体的には、例えば、有効ライン上に直ちに停止可能な図柄51を含めて５個とすることができる。すなわち、この場合、回転リール40の停止操作が行われた際、有効ライン上に直ちに停止可能な図柄51を含めて５個の図柄51の範囲内に、当選役を構成する図柄51があれば、この図柄51が有効ライン上に引き込まれることとなる。なお、前記予め定められた個数は、一般的には、「最大スベリコマ数」、又は、「最大引き込みコマ数」などと呼ばれる。
【００１６】
具体的には、前記予め定められた個数が「５個」と設定されている遊技機において、例えば、当選抽選手段120の抽選の結果、いわゆる特別遊技であるビッグボーナスに当選（ＢＢ当選）となり、回転リール40を停止させるための停止操作が行われた場合に、有効ライン上に直ちに停止できる図柄51が「７」であるとき（すなわち、「７」の図柄51が有効ライン上に位置しているとき）は、回転リール40は直ちに停止する。また、例えば、前記停止操作が行われた場合に、有効ライン上に直ちに停止できる図柄51の１個上の図柄51が「７」であるとき（すなわち、「７」の図柄51が有効ラインよりも１コマ分上に位置しているとき）は、回転リール40は図柄１個分だけ回転して、「７」を有効ライン上に引き込んで停止する。また、例えば、前記停止操作が行われた際に、有効ライン上に直ちに停止できる図柄51の４個上の図柄51が「７」であるとき（すなわち、「７」の図柄51が有効ラインよりも４コマ分上に位置しているとき）は、回転リール40は図柄４個分だけ回転して、「７」を有効ライン上に引き込んで停止する。
【００１７】
なお、停止制御手段130は、例えば、遊技機の作動を制御するための制御装置100に備えることができる。
また、「入賞判定手段140」は、全ての回転リール40の回転が停止した場合に、前記当選役を構成する図柄51の組み合わせが有効ライン上に停止しているとき入賞と判定する。
また、例えば、上記したような有効ラインを有する遊技機においては、３個の回転リール40の中段位置にそれぞれ、「７」が停止した場合、有効ラインである中段ライン91に「７」が停止することとなり、ＢＢ当選の入賞となる。
また、「表示領域53」とは、前記回転リール40における１の図柄51が表示されている領域である。
【００１８】
また、「停止目標図柄52」とは、有効ライン上に停止させる対象の図柄51である。本発明の遊技機においては、少なくとも予め定められた個数（最大スベリコマ数）よりも大きな間隔をおいて配置されている図柄51であって、回転中の回転リール40が特定の位置にあるときに停止操作を行ってしまうと有効ライン上に停止させることができないような図柄51を、停止目標図柄52として設定するのが望ましい。具体的には、例えば、予め定められた個数（最大スベリコマ数）が「５個（５コマ）」と設定されている遊技機の回転リール40に、ＢＢ当選を構成する図柄51である「７」が図柄１０個分（１０コマ）の間隔をおいて、全部で２個表示されている場合、この「７」を停止目標図柄52とするのが望ましい。
【００１９】
また、「補助領域54」とは、停止目標図柄52と回転リール40の回転方向側で隣接する図柄51から、前記停止目標図柄52から予め定められた個数の範囲内に位置する図柄51までの、複数個の表示領域53を意味するものである。すなわち、補助領域54は、回転リール40の停止操作を行った場合に、停止目標図柄52を有効ライン上に引き込んで停止させることができる表示領域53である。さらに、補助領域54は、停止目標図柄52から予め定められた個数の範囲内に位置する図柄51の複数個の表示領域53であって、停止目標図柄52の表示領域53を除いた部分である。
具体的には、例えば、予め定められた個数（最大スベリコマ数）が「５個」と設定されている遊技機であって、回転方向側に向けて、「７」→「ＲＥＰＬＡＹ」→「ベル」→「スター」→「ＲＥＰＬＡＹ」→「ベル」→・・・という配列で図柄51が表示されているものとする。そして、ＢＢ当選を構成する図柄51である「７」を停止目標図柄52として設定する。この場合、「７」の回転方向側で隣接する「ＲＥＰＬＡＹ」から４個先に位置する「ＲＥＰＬＡＹ」までの連続する４コマの表示領域53を補助領域54とすることができる。また、「ＲＥＰＬＡＹ」から３コマ先に位置する「スター」までの連続する３コマの表示領域53を補助領域54としても良い。し、「ＲＥＰＬＡＹ」から２コマ先に位置する「ベル」までの連続する２コマの表示領域53を補助領域54としても良い。
【００２０】
なお、上述のような配列で図柄51が表示されている回転リール40では、回転リール40が回転すると、「ＲＥＰＬＡＹ」→「スター」→「ベル」→「ＲＥＰＬＡＹ」→「７」・・・という順番で、図柄51が表示窓14内を通過することとなっている。
また、「リールテープ30」は、幅方向のいずれか一方の縁を切り欠いた切り欠き部65を有している。また、「切り欠き部65」は、リールテープ30」の幅方向のいずれか一方の縁を切り欠いていればその形状は特定されない。また、切り欠き部65は、複数の表示領域53にまたがって形成されている。
また、切り欠き部65は、１個だけでも良いし、複数あっても良い。すなわち、斜行部80も、１個だけでも良いし、複数あっても良い。
【００２１】
また、リールテープ30は、切り欠き部65に対応したリールテープ30の縁に斜行部80を有している。斜行部80は、回転方向の一方側から他方側へ向かうに従って、リールテープ30の幅の中心方向へ向かうように形成されている。すなわち、斜行部80は、回転方向の下流側（後に表示窓14に表示される側）から回転方向の上流側（先に表示窓14に表示される側）へ向かうに従って、リールテープ30の幅の中心方向へ向かうように形成しても良いし、回転方向の上流側から回転方向の下流側へ向かうに従って、リールテープ30の幅の中心方向へ向かうように形成しても良い。
また、斜行部80は、複数の表示領域53にまたがって形成されている。
【００２２】
また、斜行部80は、回転方向の一端又は他端のいずれか一方が補助領域54内に位置するように形成されている。また、斜行部80は、回転方向の一端又は他端のいずれか一方が補助領域54内に位置していれば、他方は、補助領域54内に位置するように形成しても良いし、補助領域54外に位置するように形成しても良い。また、斜行部80は、複数の表示領域53にまたがるようにして設けられているので、斜行部80の回転方向の一端と他端とは、異なる表示領域53内に位置するように形成されている。
また、斜行部80は、回転方向の一方側から他方側へ向かうに従って、リールテープ30の幅の中心方向へ向かうように形成されていれば、直線状に形成しても良いし、曲線状に形成しても良いし、直線と曲線とを組み合わせて形成しても良い。
【００２３】
また、具体的には、例えば、斜行部80の回転方向における一方側の端部である第１端部81を、他方側の端部である第２端部82よりも、リールテープ30の幅方向の中心寄りに位置するように形成し、斜行部80を第１端部81と第２端部82とを連結するように形成することにより、斜行部80を回転方向の他方側から一方側へ向かうに従って、リールテープ30の幅の中心方向へ向かうように形成することができる。また、同様に、斜行部80の回転方向における他方側の端部である第２端部82を、一方側の端部である第１端部81よりも、リールテープ30の幅方向の中心寄りに位置するように形成し、斜行部80を第１端部81と第２端部82とを連結するように形成しても、斜行部80を回転方向の一方側から他方側へ向かうに従って、リールテープ30の幅の中心方向へ向かうように形成することができる。
【００２４】
（請求項２）
（特徴点）
請求項２記載の発明は、請求項１記載の発明を限定したものであって、次の点を特徴とする。
すなわち、前記回転リール40は、前記停止目標図柄52を複数有し、前記リールテープ30は、各停止目標図柄52にそれぞれ対応した切り欠き部65を有し、各停止目標図柄52にそれぞれ対応した補助領域54内に、各停止目標図柄52にそれぞれ対応した切り欠き部65における前記斜行部80の回転方向の一端又は他端のいずれか一方が位置していることを特徴とする。
【００２５】
ここで、回転リール40は、複数の停止目標図柄52を有している。また、リールテープ30は、各停止目標図柄52に対応した切り欠き部65を有している。すなわち、リールテープ30は、複数の切り欠き部65を有している。
また、斜行部80は、各停止目標図柄52にそれぞれ対応した補助領域54内に、各停止目標図柄52にそれぞれ対応した切り欠き部65における前記斜行部80の回転方向の一端又は他端のいずれか一方が位置している。
すなわち、例えば、回転リール40が、停止目標図柄52を２個有している場合には、それに対応した切り欠き部65を２個有し、例えば、停止目標図柄52を３個有している場合には、それに対応した切り欠き部65を３個有している。
【００２６】
また、具体的には、例えば、停止目標図柄52としての第１停止目標図柄52aと第２停止目標図柄52bとを有するようにした場合、第１停止目標図柄52aに対応した切り欠き部65と、第２停止目標図柄52bに対応した切り欠き部65とを有するようにする。また、このとき、第１停止目標図柄52aに対応した切り欠き部65に斜行部80としての第１斜行部80aを設ける。また、第１斜行部80aは回転方向の一方側の端部である第１端部81及び他方側の端部である第２端部82を有する。また、第１斜行部80aの第１端部81又は第２端部82のどちらか一方が第１停止目標図柄52aに対応した補助領域54である第１補助領域54a内に位置するように切り欠き部65を設ける。また、第２停止目標図柄52bに対応した切り欠き部65に斜行部80としての第２斜行部80bを設ける。また、第２斜行部80bは回転方向の一方側の端部である第１端部81及び他方側の端部である第２端部82を有する。また、第２斜行部80bの第１端部81又は第２端部82のどちらか一方が第２停止目標図柄52bに対応した補助領域54である第２補助領域54b内に位置するように切り欠き部65を設ける。
【００２７】
また、このとき、具体的には、例えば、回転リール40の周囲における幅方向の左側端部の縁に、第１停止目標図柄52aに対応した切り欠き部65の斜行部80であるる第１斜行部80aを設け、回転リール40の周囲における幅方向の右側端部の縁に、第２停止目標図柄52bに対応した切り欠き部65の斜行部80である第２斜行部80bを設けることにより、２個の停止目標図柄52にそれぞれ対応した切り欠き部65における斜行部80を設けることができる。
（請求項３）
（特徴点）
請求項３記載の発明は、請求項１又は２記載の発明を限定したものであって、次の点を特徴とする。
【００２８】
すなわち、請求項３記載の発明は、前記当選役として、前記回転リール40のうちいずれか一の回転リール40における停止図柄の表示態様により入賞となる1リール確定役と、前記回転リール40のうち複数の回転リール40における停止図柄の表示態様により入賞となる複数リール確定役とを有し、前記回転リール40として、１リール確定役を構成する１リール当選図柄を停止目標図柄52として表示した1リール当選回転リールと、複数リール確定役を構成する複数リール当選図柄を停止目標図柄52として表示した複数リール当選回転リールとが備えられていることを特徴とする。
ここで、「１リール確定役」とは、回転リール40のうちいずれか一の回転リール40における所定の図柄51が有効ライン上に停止することにより入賞が定まる当選役である。すなわち、１個の回転リール40のみで、入賞が確定する当選役を意味するものである。この１リール確定役としては、たとえば、回転リール40として、左回転リール41、中回転リール42、及び、右回転リール43の３つを有する遊技機において、有効ライン上の左回転リール41に対応する表示位置に「スター」が停止し、有効ライン上の中回転リール42及び右回転リール43に対応する表示位置にはいずれの図柄51が停止しても入賞となるようなスター当選が挙げられる。
【００２９】
また、「複数リール確定役」とは、回転リール40のうち複数の回転リール40における所定の図柄51が有効ライン上に停止することにより入賞が定まる当選役である。すなわち、有効ライン上の複数の回転リール40に対応する表示位置に、所定の図柄51が停止することで、入賞が確定する当選役を意味するものである。この複数リール確定役としては、たとえば、左回転リール41、中回転リール42、及び、右回転リール43の３つの回転リール40を有する遊技機において、有効ライン上の、左回転リール41、中回転リール42及び右回転リール43に対応する表示位置にそれぞれ「スイカ」が停止することにより入賞となるようなスイカ当選（小役当選）が挙げられる。
【００３０】
また、回転リール40として、１リール当選回転リールと、複数リール当選回転リールとが備えられている。また、１リール当選回転リールには、１リール当選図柄が表示されている。また、１リール当選図柄とは、１リール確定役を構成するものである。また、１リール当選図柄は停止目標図柄52である。また、複数リール当選回転リールには、複数リール当選図柄が表示されている。複数リール当選図柄とは、複数リール確定役を構成するものである。また、複数リール当選図柄は停止目標図柄52である。
【発明の効果】
【００３１】
（請求項１）
請求項１記載の発明によれば、回転リールは停止目標図柄を有し、回転リールの周囲における前記停止目標図柄と回転リールの回転方向側に隣接する図柄から、停止目標図柄から予め定められた個数の範囲内に位置する図柄までの、複数個の表示領域を補助領域とし、リールテープは切り欠き部を有し、切り欠き部に対応したリールテープの縁には、複数の表示領域にまたがり、リールテープの幅の中心方向へ向かうように形成されている斜行部を有し、斜行部を、回転方向の一端又は他端のいずれか一方が補助領域内に位置するように形成した。
【００３２】
これにより、初心者等の技量レベルの低い遊技者でも、リールテープに設けられた斜行部を見ながら回転リールを停止させるための操作をすることにより、回転リールを停止させるための操作をするタイミングを比較的容易に察知でき、遊技者が、所望の図柄を所定の位置に停止させることが可能な遊技機を提供することができる。
（請求項２）
請求項２記載の発明によれば、上記した請求項１記載の発明に加え、次のような効果を奏する。
すなわち、請求項２記載の発明は、請求項１記載の発明に加えて、回転リールは、複数の停止目標図柄を有し、リールテープは、各停止目標図柄にそれぞれ対応した切り欠き部を有し、各停止目標図柄にそれぞれ対応した補助領域内に、各停止目標図柄にそれぞれ対応した切り欠き部における斜行部の回転方向の一端又は他端のいずれか一方が位置するようにした。
【００３３】
これにより、複数の停止目標図柄を有する回転リールについても、回転リールを停止させるための操作をするタイミングを比較的容易に察知でき、遊技者が、所望の図柄を所定の位置に停止させることが可能な遊技機を提供することができる。
（請求項３）
請求項３記載の発明によれば、上記した請求項１又は請求項２記載の発明の効果に加え、次のような効果を奏する。
すなわち、請求項３記載の発明は、請求項１又は２記載の発明に加えて、当選役として、1リール確定役と、複数リール確定役とを有し、回転リールとして、１リール確定役を構成する１リール当選図柄を停止目標図柄として表示した1リール当選回転リールと、複数リール確定役を構成する複数リール当選図柄を停止目標図柄として表示した複数リール当選回転リールとを備えた。
【００３４】
これにより、当選した当選役を効率良く確実に入賞させることができ、技量レベルの優劣により得失を抑えることが可能な遊技機を提供することができる。
【発明を実施するための最良の形態】
【００３５】
（第1の実施の形態）
（図面の説明）
以下、本発明を実施するための最良の形態である実施の形態について、図面を用いて説明する。
図１は、本実施の形態にかかる遊技機であるスロットマシン10の正面図である。図２は、本実施の形態にかかる遊技機であるスロットマシン10の入力、制御及び出力を示すブロック図である。図３は、本実施の形態にかかるリールユニット22の外観斜視図である。図４は、本実施の形態にかかるスロットマシン10の表示窓14付近を示す拡大正面図である。図５は、本実施の形態にかかる回転リール40の周囲に貼付されるリールテープ30を示す図面である。
【００３６】
また、発明を実施するための最良の形態を、遊技機としてスロットマシン10を例に、図面に基づき説明する。
（スロットマシン10）
本実施の形態における遊技機は、スロットマシン10である。スロットマシン10は、図１に示すように、四角箱状の筐体を有し、筐体内部にリールユニット22が備えられている。また、リールユニット22には、三個の回転リール40（41、42、43）が備えられている。また、この筐体には遊技者側に向かって臨み、三個の回転リール40（41、42、43）を見ることができる表示窓14が形成されている。そして、この表示窓14の下方は、スロットマシン10を作動させるための操作部18となっている。また、操作部18の正面右側上部にはメダル投入口11が設けられており、スロットマシン10の下部には、メダルを払い出すためのメダル排出口12と、払い出されたメダルを貯留しておくためのメダル受皿13が形成されている。
【００３７】
また、回転リール40（41、42、43）は、後述するリールユニット22の枠体21に固定或いは支持された駆動装置25としてのステップモータと、駆動装置25としてのステップモータの出力軸に固定された回転ドラムと、この回転ドラムの周囲に貼付されるテープ状のリールテープ30とを備えている。そして、リールテープ30の外周面には、複数個（例えば２１個）の図柄51が表示されており、図１及び図４に示すように、３個の回転リール40（41、42、43）は並べて設けられ、各回転リール41、42、43の図柄51が３個数ずつ、表示窓14から見ることができるように配置される。
また、表示窓14は、前記３個の回転リール40の前方に設けられており、３個全ての回転リール40の回転が停止した場合に、各回転リール40の周囲に表示されている複数個の図柄51のうち３個を表示、すなわち、視認することができるものとなっている。すなわち、３個全ての回転リール40が停止すると、図４に示すように、表示窓14内における、それぞれの回転リール40に対応する表示位置に、それぞれ３個の図柄51が縦並びに表示される。換言すれば、表示窓14内の上段位置、中段位置、及び下段位置にそれぞれ３個の図柄51が表示される。そして、表示窓14内に、縦３列横３行に配列した合計９個の図柄51が表示されることとなる。
【００３８】
また、本実施の形態にかかるスロットマシン10では、回転リール40として、表示窓14の左側に位置するように設けられた左回転リール41と、表示窓14の右側に位置するように設けられた右回転リール43と、左回転リール41と右回転リール43との間の真ん中に位置するように設けられた中回転リール42とを備えている。
また、本実施の形態にかかるスロットマシン10は、図４に示すように、前記表示窓14内に停止した左回転リール41、中回転リール42、及び、右回転リール43それぞれの図柄51の表示位置を一直線に結ぶことが可能なラインである計５本の有効ラインを有している。
具体的には、図４に示すように、左回転リール41の中段位置と中回転リール42の中段位置と右回転リール43の中段位置とを一直線に結んだ有効ラインが中段ライン91である。また、左回転リール41の上段位置と中回転リール42の上段位置と右回転リール43の上段位置とを一直線に結んだ有効ラインが上段ライン92である。また、左回転リール41の下段位置と中回転リール42の下段位置と右回転リール43の下段位置とを一直線に結んだ有効ラインが下段ライン93である。また、左回転リール41の下段位置と中回転リール42の中段位置と右回転リール43の上段位置とを一直線に結んだ有効ラインが右上がりライン94である。また、左回転リール41の上段位置と中回転リール42の中段位置と右回転リール43の下段位置とを一直線に結んだ有効ラインが右下がりライン95である。
【００３９】
そして、後述する当選抽選手段120の抽選の結果、後述する所定の当選役に当選するとともに、いずれかの有効ライン上に、前記当選役を構成する図柄51の組み合わせが停止したとき、前記当選役の入賞となる。
また、図示はいないが、前扉の裏面における、前記メダル投入口11の下部に対応する位置には、メダル投入口11に投入されたメダルの正偽を判断するためのメダルセレクターが設けられている。
さらに、表示窓14の上方には、演出表示部60が設けられている。演出表示部60は、スピーカや表示ランプ等であって、遊技者に入賞等を報知させるためのものである。
【００４０】
また、操作部18には、図１に示すように、投入スイッチ15、ベットスイッチ16、精算スイッチ17、スタートスイッチ20及びストップスイッチ50が設けられている。投入スイッチ15は、メダル投入口11の下方に内蔵されたスイッチであって、投入されたメダルを検知するためのものである。
ベットスイッチ16は、回転リール40の下方に位置するスイッチであって、貯留メダル数を減じてメダル投入に代えるためのものである。精算スイッチ17は、回転リール40の斜め下方に位置するスイッチであって、貯留した投入メダルを払い出すためのものである。スタートスイッチ20は、回転リール40の斜め下方に位置するレバーであって、メダルの投入若しくはベットスイッチ16の操作を条件に、回転リール40（41、42、43）の回転を開始させるためのものである。
【００４１】
ストップスイッチ50は、回転リール40（41、42、43）の回転を停止させるためのものである。具体的には、ストップスイッチ50は、図１に示すように、各回転リール41、42、43に対応した三個のストップスイッチ50から構成され、各回転リール41、42、43の下方に１個ずつ配置されている。そして、各回転リール40に対応したストップスイッチ50の操作により、当該対応した回転リール40の駆動装置25が停止するように設定されているものである。
スロットマシン10の内部には、特に図示していないが、スロットマシン10の全体の動作を制御するための制御装置100（図２参照）が内蔵されている。また、スロットマシン10の内部には、ホッパー24が内蔵されている。ホッパー24は、遊技の結果に基づいて、遊技者にメダルを払い出すためのものである。
【００４２】
（リールユニット22）
次に、リールユニット22について説明する。
リールユニット22は、図３に示すように、枠体21と、枠体21に固定される３個の駆動装置25としてのステッピングモータと、駆動装置25としてのステッピングモータに軸着される３個の回転リール40（41、42、43）とを有している。また、リールユニット22には、回転リール40（41、42、43）及び枠体21に回転検知装置（図示せず）が設けられている。そして、リールユニット22は、図示はしないが、スロットマシン10の筐体に設けられている中板の上に乗せ、収納固定されるものである。
【００４３】
（回転リール40）
回転リール40は、円筒形のリールドラムに、帯状のリールテープ30を貼付して形成したものである。リールドラムは、駆動装置25であるステップモータの駆動軸に固定され、駆動装置25であるステップモータの駆動軸の回転により円周方向に回転可能に形成されている。
（リールテープ30）
リールテープ30は、プラスチックフィルムなどに印刷等により複数の図柄51を表示した帯状のテープであり、リールドラムの筒外周よりも若干長く形成されている。すなわち、リールテープ30は、リールドラムに貼付する場合、端部を重ね合わせて貼り付けるようになっているものである。
【００４４】
リールテープ30は、回転方向へ向けて連続して図柄51を表示している。また、リールテープ30は、所定の幅を有している。
また、特に図示していないが、各回転リール40に貼付されているリールテープ30のベース色は白色となっている。そして、各回転リール40の外周面であるリールテープ30の表面には、図５に示すように、回転方向へ向けてほぼ等間隔に、「７」「ＢＡＲ」「ベル」「スイカ」「スター」「ＲＥＰＬＡＹ」等の複数種類の図柄51が所定の配列で計２１個表示されている。
ここで、リールテープ30の表面における、各図柄51が表示される領域を１コマの表示領域53としている。すなわち、各回転リール40に貼付されているリールテープ30には、計２１コマの表示領域53を有することとなる。
【００４５】
そして、前記回転リール40では、この回転リール40に表示されている２１個の図柄51のうち所定の図柄51を停止目標図柄52として設定している。停止目標図柄52とは、上述のいずれかの有効ライン上に停止させる対象の図柄51を意味するものである。すなわち、停止目標図柄52は、遊技者による回転リール40の停止操作（ストップスイッチ50の操作）により、有効ライン上へ停止させることを目標とする図柄51である。なお、本実施の形態では、「７」の図柄51が停止目標図柄52として設定されている。
また、前記回転リール40では、図５に示すように、前記停止目標図柄52である「７」と回転方向側である下側で隣接する図柄51から、停止目標図柄52である「７」から後述する予め定められた個数（最大スベリコマ数）である５個下側（「７」を含めて）に位置する図柄51までの表示領域53が補助領域54として設定されている。具体的には、図５に示す回転リール40のリールテープ30では、停止目標図柄52である「７」から順に、回転方向側である下側に向けて、「７」→「ＲＥＰＬＡＹ」→「ベル」→「スター」→「ＲＥＰＬＡＹ」→「ベル」→・・・という配列となっている。したがって、この回転リール40では、「７」と下側で隣接する「ＲＥＰＬＡＹ」から、「７」から５コマ下側（「７」を含めて）に位置する「ＲＥＰＬＡＹ」までの連続する表示領域53が「補助領域54」に該当するものとなる。
【００４６】
また、リールテープ30には、図５に示すように、左右の幅方向の両端部の双方に切り欠き部65が設けられている。また、両切り欠き部65は、双方とも、図柄51と重ならないように設けられている。
また、各切り欠き部65は、それぞれ複数の表示領域53をまたがるように設けられている。
また、各切り欠き部65に対応したリールテープ30の縁には、それぞれ斜行部80が設けられている。すなわち、斜行部80が合計２個設けられている（煩雑になるため、図中には、左側端部に設けられた斜行部80のみに番号を付している）。
【００４７】
また、各斜行部80は、それぞれ複数の表示領域53にまたがって形成されている。また、各斜行部80は、それぞれ回転方向の下流側（後に表示窓14に表示される側）から回転方向の上流側（先に表示窓14に表示される側）へ向かうに従って、リールテープ30の幅の中心方向へ向かうように形成されている。
また、斜行部80は、回転方向の下流側の端部である第１端部81と、回転方向の上流側の端部である第２端部82とを有している。第１端部81は、第２端部82に比べ、リールテープ30の左右の幅方向の中心寄りに位置している。また、斜行部80は、第１端部81と第２端部82とを連結する直線状に形成されている。
【００４８】
これにより、各斜行部80を、それぞれそれぞれ回転方向の上流側（先に表示窓14に表示される側）から回転方向の下流側（後に表示窓14に表示される側）へ向かうに従って、リールテープ30の幅の中心方向へ向かうように形成することができる。
また、各斜行部80は、それぞれ第１端部81が補助領域54内に位置するように形成され、また、第２端部82が補助領域54外に位置するように形成されている。
次に、制御装置100について詳述する。
（制御装置100）
制御装置100は、図示しないが、ＣＰＵを中心に構成され、ＲＯＭ、ＲＡＭ、Ｉ／Ｏ等を備えている。そして、ＣＰＵがＲＯＭに記憶されたプログラムを読み込むことで、スロットマシン10の作動を制御する。
【００４９】
具体的には、制御装置100は、図２に示すように、遊技制御手段110、演出制御手段150、当選抽選手段120、停止制御手段130及び入賞判定手段140として機能するものである。以下、これらについて詳述する。なお、制御装置100としては、上記以外の手段を有していても良い。
（遊技制御手段110）
遊技制御手段110は、スロットマシン10の遊技を制御するためのものである。そして、遊技としては、通常遊技と、通常遊技よりも多くの利益を遊技者に付与する特別遊技とが設けられている。
【００５０】
ここで、通常遊技の概要は、以下の通りである。
具体的には、メダルの投入又はベットスイッチ16が操作されたことを条件に、スタートスイッチ20を操作すると、予め定められた当選役のいずれかに当選したか又はハズレかの抽選が行われる。そして、これに伴って、３個全ての回転リール40が回転を開始する。その後、所定のストップスイッチ50を１つ操作すると、このストップスイッチ50に対応した回転リール40の回転が停止する。そして、ストップスイッチ50を３個全て操作し終わると、３個の回転リール40の回転が全て停止する。このとき、表示窓14内に形成されるいずれかの有効ライン上に、当選役を構成する図柄51の組み合わせが停止されると、当該当選役の入賞となり、当選役に応じた枚数のメダルがメダル排出口12から払い出される。なお、メダルを払い出す代わりに、メダルをして貯留しても良い。また、当選役の対応に応じて、遊技者に対して所定の利益を付与することもできる。
【００５１】
本実施の形態にかかる遊技機であるスロットマシン10では、前記当選役として、入賞により所定枚数のメダルが払い出される小役当選（ベル当選、スイカ当選及びスター当選）と、メダルの払い出しは無いがメダルを新たに投入することなく再度の遊技を行えるリプレイ当選と、小役当選及び再遊技当選よりもさらに大きな利益を遊技者に付与する特別遊技に係る特別当選（ＢＢ当選、及びＲＢ当選など）とを備えている。
また、小役当選のうち、たとえば、スイカ当選は、「スイカ」の図柄51の組み合わせ（「スイカ」「スイカ」「スイカ」）により構成される。そして、いずれかの有効ライン上に「スイカ」「スイカ」「スイカ」の図柄配列が停止すると、スイカ当選の入賞となり、所定枚数（たとえば１５枚）のメダルが払い出される。また、小役当選のうち、スター当選は、「スター」の図柄51と他の図柄51との組み合わせ（「スター」「ＡＮＹ」「ＡＮＹ」（ＡＮＹはいずれの図柄51でも構わないという意味））により構成される。そして、いずれかの有効ライン上に「スター」「ＡＮＹ」「ＡＮＹ」の図柄配列が停止すると、スター当選の入賞となり、所定枚数（たとえば２枚）のメダルが払い出される。また、リプレイ当選は、「ＲＥＰＬＡＹ」の図柄51の組み合わせ（「ＲＥＰＬＡＹ」「ＲＥＰＬＡＹ」「ＲＥＰＬＡＹ」）により構成される。そして、いずれかの有効ライン上に「ＲＥＰＬＡＹ」「ＲＥＰＬＡＹ」「ＲＥＰＬＡＹ」の図柄配列が停止すると、ＲＥＰＬＡＹ当選の入賞となり、新たにメダルを投入することなく、前回の遊技と同じ条件で再度遊技を行うことができる。また、ＢＢ当選は、「７」の図柄51の組み合わせ（「７」「７」「７」）により構成される。そして、いずれかの有効ライン上に「７」「７」「７」の図柄配列が停止すると、ＢＢ当選の入賞となり、所定枚数（たとえば１５枚）のメダルが払い出された後、ＢＢゲームに移行する。また、ＲＢ当選は、「ＢＡＲ」の図柄51の組み合わせ（「ＢＡＲ」「ＢＡＲ」「ＢＡＲ」）により構成される。そして、いずれかの有効ライン上に「ＢＡＲ」「ＢＡＲ」「ＢＡＲ」の図柄配列が停止すると、ＲＢ当選の入賞となり、所定枚数（たとえば１５枚）のメダルが払い出された後、ＲＢゲームに移行する。
【００５２】
また、特別遊技の概要は、以下の通りである。
特別遊技は、通常遊技よりも遊技者に大きな利益を付与する遊技（ＢＢゲーム、ＲＢゲーム等）である。
具体的には、特別遊技であるＢＢゲームに移行すると、通常遊技と同様に所定枚数のメダルの投入によって遊技が開始される。そして、３つの回転リール40の回転を全て停止させた場合に、有効ライン上に所定の図柄51が揃っているか否かによって、メダルの払い出しが行われる。すなわち、ＢＢゲーム中は、通常遊技と同様に小役を含めた抽選が毎回行われる。但し、このＢＢゲーム中にＲＢゲームに移行するための特定の図柄51が有効ライン上に揃った場合には、その後ＲＢゲームに移行する。そして、ＲＢゲームが終了した後は、また通常遊技と同様の抽選及び制御が行われる。そして、ＢＢゲーム中において払い出されたメダルが所定の枚数（たとえば４６５枚）に達することにより、終了する。なお、ＢＢゲームの終了条件としては、上述のようなメダルの払い出し枚数の累計ではなく、他の条件を設定することもできる。
【００５３】
また、特別遊技であるＲＢゲームに移行すると、所定の図柄51が所定の有効ライン上に揃った場合に入賞となる遊技が行われる。そして、ＲＢゲームでは、前記遊技が最大１２回行えるものとなっており、そのうち最大８回の入賞が可能となっている。すなわち、最大８回の入賞、又は、最大１２回の前記遊技により、ＲＢゲームは終了する。なお、ＲＢゲームは、ＢＢゲーム中に入賞して行われる場合と、通常遊技中に入賞して行われる場合とがある。
（演出制御手段150）
演出制御手段150は、遊技の進行に伴うランプの点滅、画像等の表示、音声の発生などの演出、あるいは遊技とは直接関係ないＢＧＭ等の演出を行わせるためのものである。
【００５４】
具体的には、前記遊技制御手段110からの演出要請信号、例えば当選や入賞の信号を受信して、あるいは演出制御手段150単独で演出実行を決定し、ＲＯＭに記憶された演出データを、ランプやスピーカ、液晶画面等の演出表示部60に出力することにより、所定の演出を行わせるものである。
（当選抽選手段120）
当選抽選手段120は、予め定めた抽選確率に基づいて当選役に係わる抽選を行うものである。そして、当選抽選手段120による抽選の結果、所定の当選役に当選である場合に当選フラグが成立し、この当選フラグ成立中に、回転リール40（41、42、43）の停止図柄の組み合わせが予め定められた当選図柄と一致したことを条件に入賞し、遊技者にメダルの払い出しや、特別遊技等の利益が付与されるように設定されている。
【００５５】
ここで、「当選フラグ」とは、抽選結果の「当たり」を記憶しておくためのメモリ部分のことである。当選抽選手段120は、図２に示すように、乱数発生手段122、乱数抽出手段124、当選判定手段128、及び当選判定テーブル126を有している。前記乱数発生手段122は、当選抽選用の所定の領域内で発生させるものである。
前記乱数抽出手段124は、乱数発生手段122が発生する乱数を、所定の条件（例えば、スタートスイッチ20の操作）で抽出するものである。なお、この抽出した乱数を判定乱数という。ところで、乱数発生手段122としては、ソフト乱数としての平均採中法等で乱数を発生させることができるものの他に、一定範囲の数字を高速で１づつ加算するカウンタを用いて構成することもできる。例えば、０〜１６３８３の範囲の数字を、１秒間に７００万回程度順次繰り返すようにしたカウンタが考えられる。このようにすると、「乱数発生手段122」では乱数を発生しているわけではないものの、「乱数抽出手段124」によって抽出される数字は、あたかも乱数のような分布となる。このように、結果として乱数のような分布を示す数字が得られる手段を、ここでは「乱数発生手段122」あるいは「乱数抽出手段124」に含めて考えるものとする。
【００５６】
当選判定手段128は、前記乱数抽出手段124が抽出した判定乱数を、当選判定テーブル126と比較して、判定乱数に対応する当選を決定するものである。当選判定テーブル126は、乱数発生手段122がとる乱数の全領域を、当選役及びハズレの領域に分けて規定したものである。なお、それぞれ構成の異なる複数の当選判定テーブル126を設けることもできる。そして、当選判定手段128により、前記乱数が所定の当選領域に属すると判定された場合、当該当選領域に対応する当選役の当たりとなる。一方、前記乱数がいずれの当選領域にも属さないと判定された場合、ハズレとなる。
なお、当選抽選手段120による抽選の結果、いずれかの当選役に当たった場合、当該当選役に対応した当選フラグが成立する。この当選フラグには、前記抽選結果が小役当選である場合に成立する小役当選フラグや、前記抽選結果が特別当選である場合に成立する特別当選フラグ等がある。
【００５７】
また、前記小役当選フラグは、当選フラグが成立した遊技においてのみ有効となるものである。すなわち、小役当選フラグが成立した遊技において、この当選フラグに対応する小役の当選役が入賞した場合、前記当選フラグは消滅するものとなっている。また、当該遊技において、この当選フラグに対応する小役の入賞とならなかった場合にも、すなわち、前記小役を構成する図柄51の組み合わせをいずれかの有効ライン上に停止させることができなかった場合にも、前記当選フラグは消滅するものとなっている。
これに対して、前記特別当選フラグは、次の遊技へ持ち越すことができるものとなっている。すなわち、特別当選フラグが成立した遊技において、この特別当選フラグに対応する特別当選の入賞とならなかった場合には、次遊技においても、特別当選フラグが成立したままとなるように設定されている。そして、この特別当選の入賞となるまで、特別当選フラグは成立したままとなっており、特別当選の入賞となると、特別当選フラグは消滅するものとなっている。
【００５８】
（停止制御手段130）
停止制御手段130は、ストップスイッチ50の操作が行われた場合に、前記当選抽選手段120の抽選結果に基づいて、回転リール40の回転の停止を制御するためのものである。
本実施の形態では、停止制御手段130は、ストップスイッチ50が操作された時点で、有効ライン上に直ちに停止できる図柄51を基準として、この図柄51から回転方向に予め定められた個数（最大スベリコマ数、たとえば、５コマ）移動したときの図柄51までの範囲で、対応する回転リール40を停止させるように形成されている。
すなわち、停止制御手段130は、ストップスイッチ50が操作された時点から対応する回転リール40が停止するまでに、この回転リール40が回転する回転量が予め定められたコマ数（５コマ）の範囲内となるように制御する。
【００５９】
そして、停止制御手段130は、前記当選抽選手段120の抽選結果に基づいて、対応する回転リール40を、予め定められたコマ数（５コマ）の範囲内におけるいずれの位置で停止させるかを決定するものとなっている。
具体的には、停止制御手段130は、所定の当選役に係る当選フラグが成立しているときには、当該当選役を構成する図柄51の組み合わせが、有効ライン上に停止するように、かつ、前記当選役を構成する図柄51以外の図柄51は、有効ライン上に停止しないように、対応する回転リール40の停止位置を上述の予め定められたコマ数（５コマ）の範囲内で決定する。
【００６０】
すなわち、停止制御手段130は、所定の当選役に当選している場合であって、ストップスイッチ50が操作された場合、有効ライン上から、回転リール40の反回転方向側の予め定められた個数（５個）の範囲内に、前記当選役を構成する図柄51が位置しているときは、前記図柄51が有効ライン上に停止するように、対応する回転リール40を停止させる。
なお、停止制御手段130は、当選フラグが成立していない場合、すなわち、ハズレの場合には、いずれの当選役を構成する図柄51の組み合わせも有効ライン上に停止しないように、回転リール40を停止させる。
（入賞判定手段140）
入賞判定手段140は、前記当選抽選手段120の抽選結果が当選の場合に、有効な入賞ライン上に当選図柄が揃ったときに入賞として扱い、メダルの払い出しあるいは特別遊技の開始を行わせるためのものである。
【００６１】
具体的には、特に図示しないが、各回転リール41、42、43のそれぞれの図柄51の現在位置を認識することができる図柄位置判定手段から、各回転リール41、42、43が全て停止したときの停止図柄を特定し、当該停止図柄と当選に係る入賞の図柄51の並びとが一致していることを条件に、ホッパー24に所定枚数のメダルの払い出し要請信号を送出し、あるいは遊技制御手段110に特別遊技開始の要請信号を送出するものである。
（停止目標図柄52を停止させるための回転リール40の停止操作）
本実施の形態に係るスロットマシン10では、当選抽選手段120による抽選の結果、ＢＢ当選に当選した場合、このＢＢ当選の入賞となるように、回転リール40の停止操作を行う必要がある。換言すれば、このＢＢ当選を構成する図柄51である「７」がいずれかの有効ライン上に停止するように、ストップスイッチ50を操作する必要がある。
【００６２】
ここで、本実施の形態における回転リール40では、ＢＢ当選を構成する図柄51である「７」は停止目標図柄52として設定されている。また、この回転リール40においては、上述の如く、停止目標図柄52の下側に、この停止目標図柄52と隣接した補助領域54が設けられている。
したがって、前記「７」をいずれかの有効ライン上に停止させるためには、前記補助領域54が有効ライン上を通過するタイミングで、ストップスイッチ50を操作すれば良い。
すなわち、補助領域54は、停止目標図柄52の下側に隣接して設けられているため、回転リール40が回転すると、補助領域54が有効ライン上を通過した後に、停止目標図柄52である「７」が通過することとなる。また、この停止目標図柄52の「７」は補助領域54と隣接しているため、前記「７」は補助領域54から予め定められた個数（５個）の範囲内に位置することとなる。換言すれば、補助領域54が有効ライン上にある場合には、停止目標図柄52の「７」はいずれの有効ラインからも予め定められたコマ数（５コマ）の範囲内に位置することとなる。そのため、前記補助領域54が有効ライン上を通過するタイミングで、ストップスイッチ50を操作すれば、「７」を有効ライン上に停止させることができることとなる。
【００６３】
なお、前記有効ラインは、表示窓14内における各回転リール40の図柄51の表示位置を結んだラインである。換言すれば、有効ラインは表示窓14内に設けられているものである。したがって、前記補助領域54が表示窓14内を通過するタイミングで、ストップスイッチ50を操作すれば、「７」を有効ライン上に停止させることができる。
（作用・効果）
本実施の形態によれば、また、リールテープ30には、左右の幅方向の両端部の双方に切り欠き部65を設けている。また、各切り欠き部65に対応したリールテープ30の縁には、それぞれ斜行部80を形成している。また、各斜行部80を、それぞれそれぞれ回転方向の上流側（先に表示窓14に表示される側）から回転方向の下流側（後に表示窓14に表示される側）へ向かうに従って、リールテープ30の幅の中心方向へ向かうように形成している。また、各斜行部80を、それぞれ第１端部81が補助領域54内に位置するように形成し、また、第２端部82が補助領域54外に位置するように形成している
これにより、初心者等の技量レベルの低い遊技者でも、リールテープ30に設けられた斜行部80を見ながら回転リール40を停止させるための操作をすることにより、回転リール40を停止させるための操作をするタイミングを比較的容易に察知でき、遊技者が、所望の図柄51を所定の位置に停止させることが可能な遊技機を提供することができる。
【００６４】
（第２の実施の形態）
以下、本発明にかかる第２の実施の形態について図面を参照しつつ説明する。
（図面の説明）
図６は、第２の実施の形態にかかる回転リール40の周囲に貼付されるリールテープ30を示す図面である。
第１の実施の形態では、1個の図柄51（ＢＢ当選を構成する図柄51）を停止目標図柄52としいるが、これに対し、第２の実施の形態では、停止目標図柄52を複数有するとともに、各停止目標図柄52にそれぞれ対応した切り欠き部65及び斜行部80を有している。
【００６５】
また、第２の実施の形態は、主として上記の点が第１の実施の形態と相違し、他については、第１の実施の形態と同様である。したがって、以下、第２の実施の形態について、第１の実施の形態との相違点を中心に説明する。
（リールテープ30）
本実施の形態では、リールテープ30に複数の停止目標図柄52を有し、かつ、各停止目標図柄52にそれぞれ対応した切り欠き部65及び斜行部80を形成している。各停止目標図柄52にそれぞれ対応した斜行部80は、各停止目標図柄52にそれぞれ対応した補助領域54内に、各停止目標図柄52にそれぞれ対応した斜行部80の第１端部81又は第２端部82のいずれか一方が位置している。
【００６６】
また、本実施の形態では、停止目標図柄52として、第１停止目標図柄52aと第２停止目標図柄52bとを有している。具体的には、本実施の形態では、図６に示すように、第１停止目標図柄52aとして、ＢＢ当選を構成する図柄51である「７」と、第２停止目標図柄52bとしてＲＢ当選を構成する図柄51である「ＢＡＲ」とを設定している。
この場合、「７」の図柄51の下側で隣接する、「ＲＥＰＬＡＹ」→「ベル」→「スター」→「ＲＥＰＬＡＹ」の４個の図柄51を含む４コマの表示領域53が、「７」に対応する第１補助領域54aとして設定される。
そして、本実施の形態では、図６に示すように、第１停止目標図柄52aに対応した切り欠き部65及び第１斜行部80aを有している。第１停止目標図柄52aに対応した切り欠き部65は、左右の幅方向の両端部に設けられている。すなわち、第１停止目標図柄52aに対応した切り欠き部65は、合計２個設けられている。また、第１停止目標図柄52aに対応した切り欠き部65における第１斜行部80aも合計２個設けられている（煩雑になるため、図中には、左側端部に設けられた斜行部80のみに番号を付している）。
【００６７】
また、各第１斜行部80aは、それぞれ回転方向の下流側の端部である第１端部81と、回転方向の上流側の端部である第２端部82とを有している。第１端部81は、第２端部82に比べ、リールテープ30の左右の幅方向の中心寄りに位置している。また、各第１斜行部80aは、第１端部81と第２端部82とを連結する直線状に形成されている。これにより、各第１斜行部80aを、それぞれ回転方向の上流側（先に表示窓14に表示される側）から回転方向の下流側（後に表示窓14に表示される側）へ向かうに従って、リールテープ30の幅の中心方向へ向かうように形成している。また、各第１斜行部80aは、それぞれ第１端部81が第１補助領域54a内に位置するように形成され、また、第２端部82が第１補助領域54a外に位置するように形成されている。
【００６８】
また、「ＢＡＲ」の図柄51の下側で隣接する、「ベル」→「ＲＥＰＬＡＹ」→「スイカ」→「ＲＥＰＬＡＹ」の４個の図柄51を含む４コマの表示領域53が、「ＢＡＲ」に対応する第２補助領域54bとして設定される。
そして、本実施の形態では、図６に示すように、第２停止目標図柄52bに対応した切り欠き部65及び第２斜行部80bを有している。第２停止目標図柄52bに対応した切り欠き部65は、左右の幅方向の両端部に設けられている。すなわち、第２停止目標図柄52bに対応した切り欠き部65は、合計２個設けられている。また、第２停止目標図柄52bに対応した切り欠き部65における第２斜行部80bも合計２個設けられている（煩雑になるため、図中には、左側端部に設けられた斜行部80のみに番号を付している）。
【００６９】
また、各第２斜行部80bは、それぞれ回転方向の下流側の端部である第１端部81と、回転方向の上流側の端部である第２端部82とを有している。第１端部81は、第２端部82に比べ、リールテープ30の左右の幅方向の中心寄りに位置している。また、各第２斜行部80bは、第１端部81と第２端部82とを連結する直線状に形成されている。これにより、各第２斜行部80bを、それぞれ回転方向の上流側（先に表示窓14に表示される側）から回転方向の下流側（後に表示窓14に表示される側）へ向かうに従って、リールテープ30の幅の中心方向へ向かうように形成している。また、各第２斜行部80bは、それぞれ第１端部81が第２補助領域54b内に位置するように形成され、また、第２端部82が第２補助領域54b外に位置するように形成されている。
【００７０】
（作用・効果）
本実施の形態によれば、第１停止目標図柄52aに対応した第１斜行部80aと、第２停止目標図柄52bに対応した第２斜行部80bとを有している。
また、第１斜行部80aは、第１端部81が第１停止目標図柄52aに対応した第１補助領域54a内に位置するように設けられ、第２端部82が第１補助領域54a外に位置するように設けられている。また、第２斜行部80bは、第１端部81が第２停止目標図柄52bに対応した第２補助領域54b内に位置するように設けられ、第２端部82が第２補助領域54b外に位置するように設けられている。
【００７１】
また、前記当選抽選手段120による抽選の結果、ＢＢ当選に当たった場合、リールテープ30に形成されている第１斜行部80aを見ながら、第１停止目標図柄52aである「７」に対応する第１補助領域54aが表示窓14内に設けられた有効ライン上を通過するタイミングで、対応するストップスイッチ50を操作することにより、「７」を有効ライン上に停止させることができる。また、当選抽選手段120による抽選の結果、ＲＢ当選に当たった場合、リールテープ30に形成されている第２斜行部80bを見ながら、「ＢＡＲ」に対応する第２補助領域54bが表示窓14内に設けられた有効ライン上を通過するタイミングで、対応するストップスイッチ50を操作することにより、「ＢＡＲ」を有効ライン上に停止させることができる。
【００７２】
これにより、上記第１の実施の形態と同様の作用、効果を奏し、さらには、各停止目標図柄52a、52bに対応した斜行部80の変化を見ながら回転リール40を停止させるための操作をすることにより、複数の停止目標図柄52をそれぞれ区別して、回転リール40を停止させるための操作をするタイミングを比較的容易に察知することができ、複数の停止目標図柄52ごとに所望の図柄51を停止させることができる。
（第３の実施の形態）
以下本発明にかかる第３の実施の形態について図面を参照しつつ説明する。
（図面の説明）
図７は、第３の実施の形態にかかる回転リール40の周知に貼付されるリールテープ30を示す図面である。
【００７３】
第１の実施の形態及び第２の実施の形態では、３個全ての回転リール40において、ＢＢ当選を構成する図柄51である「７」を停止目標図柄52の一つに設定するとともに、この「７」に対応し補助領域54が設けられている。そして、ＢＢ当選に当たった場合には、この補助領域54を狙ってストップスイッチ50を操作することで、「７」を有効ライン上に停止させるようにしている。
これに対し第３の実施の形態では、３個の回転リール40のうち、左回転リール41に設定された停止目標図柄52と、中回転リール42及び右回転リール43に設定された停止目標図柄52とが異なっている。
【００７４】
また、第３の実施の形態では、前記当選役として、回転リール40のうちいずれか一の回転リール40における停止図柄の表示態様により入賞となる1リール確定役と、回転リール40のうち複数の回転リール40における停止図柄の表示態様により入賞となる複数リール確定役とを有している。
また、本実施の形態においては、前記回転リール40として、１リール確定役を構成する、停止目標図柄52としての１リール当選図柄が表示された1リール当選回転リールと、複数リール確定役を構成する、停止目標図柄52としての複数リール当選図柄が表示された複数リール当選回転リールとが備えられている
また、第３の実施の形態は、主として上記の点が第１の実施の形態及び第２の実施の形態と相違し、他については、第１の実施の形態及び第２の実施の形態と同様である。したがって、以下、第３の実施の形態について、第１の実施の形態及び第２の実施の形態との相違点を中心に説明する。
【００７５】
（リールテープ30）
図７に示すように、本実施の形態における左回転リール41の周囲（リールテープ30の表面）には、第１の実施の形態及び第２の実施の形態と同様に全２１個の図柄51が表示されている。そして、これらの図柄51には「スター」の図柄51が1個だけ含まれている。
そして、本実施の形態における左回転リール41においては、前記「スター」の図柄51が停止目標図柄52として設定されている。また、「スター」の図柄51の下側で隣接する、「ＲＥＰＬＡＹ」→「ベル」→「スイカ」→「ＲＥＰＬＡＹ」の４個の図柄51を含む４コマの表示領域53が、前記「スター」の図柄51に対応する補助領域54として設定されている。
【００７６】
また、本実施の形態における中回転リール42の周囲（リールテープ30の表面）には、上記実施の形態と同様に、全２１個の図柄51が表示されている。そして、これらの図柄51には「スイカ」の図柄51が１個だけ含まれている。
そして、本実施の形態における中回転リール42においては、前記「スイカ」の図柄51が停止目標図柄52として設定されている。また、「スイカ」の図柄51の下側で隣接する、「ベル」→「ＲＥＰＬＡＹ」→「ベル」→「ＢＡＲ」の４個の図柄51を含む４コマの表示領域53が、前記「スイカ」の図柄51に対応する補助領域54として設定されている。
また、本実施の形態における右回転リール43の周囲（リールテープ30の表面）には、上記実施の形態と同様に、全２１個の図柄51が表示されている。そして、これらの図柄51には「スイカ」の図柄51が１個だけ含まれている。
【００７７】
そして、本実施の形態における右回転リール43においては、前記「スイカ」の図柄51が停止目標図柄52として設定されている。また、「スイカ」の図柄51の下側で隣接する、「ＲＥＰＬＡＹ」→「ベル」→「ＢＡＲ」→「スター」の４個の図柄51を含む４コマの表示領域53が、前記「スイカ」の図柄51に対応する補助領域54として設定されている。
なお、上述の如く、前記「スター」の図柄51は、スター当選を構成する図柄51である。具体的には、スター当選は、「スター」の図柄51と他の図柄51との組み合わせ（「スター」「ＡＮＹ」「ＡＮＹ」（ＡＮＹはいずれの図柄51でも構わないという意味））により構成される。そして、いずれかの有効ライン上に「スター」「ＡＮＹ」「ＡＮＹ」の図柄配列が停止すると、スター当選の入賞となる。
【００７８】
すなわち、スター当選は、いずれの有効ラインにおける左回転リール41の表示位置に、「スター」が停止するだけで入賞が定まるものである。すなわち、スター当選は、左回転リール41に配置された「スター」の図柄51が有効ライン上に停止することにより入賞が定まる「１リール確定役」に該当するものである。また、左回転リール41は、「スター」の図柄51を停止目標図柄52としている、したがって、左回転リール41は、１リール確定役を構成する、停止目標図柄52としての１リール当選図柄が表示された1リール当選回転リールに該当する。
また、上述の如く、前記「スイカ」の図柄51は、スイカ当選を構成する図柄51である。具体的には、スイカ当選は、「スイカ」の図柄51の組み合わせ（「スイカ」「スイカ」「スイカ」）により構成される。そして、いずれかの有効ライン上に「スイカ」「スイカ」「スイカ」の図柄配列が停止すると、スイカ当選の入賞となる。
【００７９】
すなわち、スイカ当選は、いずれかの有効ラインにおける、左回転リール41、中回転リール42、及び、右回転リール43の表示位置にそれぞれ、「スイカ」が停止したときに入賞が定まるものである。すなわち、スイカ当選は、左回転リール41、中回転リール42、及び、右回転リール43のそれぞれの回転リール40に配置された「スイカ」の図柄51が有効ライン上に停止することにより入賞が定まる「複数リール確定役」に該当するものである。また、中回転リール42及び右回転リール43は、「スター」の図柄51を停止目標図柄52としている、したがって、中回転リール42及び右回転リール43は、複数リール確定役を構成する、停止目標図柄52としての複数リール当選図柄が表示された複数リール当選回転リールに該当する。
【００８０】
また、左回転リール41、中回転リール42及び右回転リール43のそれぞれに貼付されるリールテープ30には、全て、左右の幅方向の両端部の双方に切り欠き部65が設けられている。また、各切り欠き部65は、それぞれ複数の表示領域53をまたがるように設けられている。また、各切り欠き部65に対応したリールテープ30の縁には、それぞれ斜行部80が設けられている。すなわち、斜行部80が合計２個設けられている（煩雑になるため、図中には、左側端部に設けられた斜行部80のみに番号を付している）。また、各斜行部80は、それぞれ複数の表示領域53にまたがって形成されている。また、斜行部80は、回転方向の下流側の端部である第１端部81と、回転方向の上流側の端部である第２端部82とを有している。第１端部81は、第２端部82に比べ、リールテープ30の左右の幅方向の中心寄りに位置している。また、斜行部80は、第１端部81と第２端部82とを連結する直線状に形成されている。これにより、各斜行部80は、それぞれそれぞれ回転方向の上流側（先に表示窓14に表示される側）から回転方向の下流側（後に表示窓14に表示される側）へ向かうに従って、リールテープ30の幅の中心方向へ向かうように形成されている。また、各斜行部80は、それぞれ第１端部81が補助領域54内に位置するように形成され、また、第２端部82が補助領域54外に位置するように形成されている。
【００８１】
（回転リール40の停止操作）
上述の如く、本実施の形態における左回転リール41には、スター当選を構成する図柄51である「スター」は１個しか設けられていない。したがって、スター当選に当たった場合、この「スター」の図柄51をいずれかの有効ライン上に停止させるためには、原則として、非常に限定されたタイミングで、左回転リール41に対応するストップスイッチ50を操作しなければならない。
また、本実施の形態における中回転リール42及び右回転リール43には、スイカ当選を構成する図柄51である「スイカ」はそれぞれ１個ずつしか設けられていない。したがって、上述と同様に、スイカ当選に当たった場合、この「スイカ」の図柄51をいずれかの有効ライン上に停止させるためには、原則として、非常に限定されたタイミングで、中回転リール42及び右回転リール43に対応するストップスイッチ50を操作しなければならない。
【００８２】
さらに、スター当選、及び、スイカ当選はいずれも、上述の小役当選に該当するものである。したがって、当選抽選手段120による抽選の結果、これらの当選役に当選して当選フラグが成立した場合には、この遊技において入賞させないと、当選フラグは消滅してしまう。すなわち、当選した当選役を取りこぼしてしまうこととなり、メダルを獲得することができず、遊技者にとって不利が大きい。
また、通常、スロットマシン10では小役当選の当選確率は比較的高く設定されており、通常遊技においてスター当選やスイカ当選に当たる機会は多い。したがって、これら当選した当選役を取りこぼさないように、ストップスイッチ50を操作するのが望ましい。
【００８３】
したがって、本実施の形態に係るスロットマシン10では、左回転リール41については「スター」の図柄51がいずれかの有効ライン上に停止できるように、ストップスイッチ50を操作する必要がある。
ここで、本実施の形態における回転リール40では、スター当選を構成する図柄51である「スター」が停止目標図柄52として設定されており、この「スター」の下側に補助領域54が設けられている。
したがって、前記「スター」をいずれかの有効ライン上に停止させるためには、前記補助領域54が有効ライン上を通過するタイミングで、左回転リール41に対応するストップスイッチ50を操作すれば良い。すなわち、補助領域54は、「スター」の下側に隣接して設けられているため、左回転リール41が回転すると、補助領域54が有効ライン上を通過した後に、「スター」が通過することとなる。また、「スター」は補助領域54と隣接しているため、「スター」は補助領域54から予め定められた個数（５個）の範囲内に位置することとなる。換言すれば、補助領域54が有効ライン上にある場合には、停止目標図柄52の「スター」はいずれの有効ラインからも予め定められたコマ数（５コマ）の範囲内に位置することとなる。そのため、補助領域54が有効ライン上を通過するタイミングで、ストップスイッチ50を操作すれば、「スター」を有効ライン上に停止させることができることとなる。具体的には、左回転リール41のリールテープ30に設けられている斜行部80を見ながら、補助領域54が有効ライン上を通過するタイミングを察知し、左回転リール41に対応したストップスイッチ50を操作する。
【００８４】
また、中回転リール42及び右回転リール43については「スイカ」の図柄51が対応する有効ライン上に停止できるように、ストップスイッチ50を操作する必要がある。そして、「スイカ」の図柄51を対応する有効ライン上に停止させるためには、上述と同様に、停止目標図柄52である「スイカ」に対応する補助領域54が有効ライン上を通過するタイミングで、中回転リール42及び右回転リール43に対応するストップスイッチ50を操作すれば良い。具体的には、中回転リール42及び右回転リール43のそれぞれのリールテープ30に設けられている斜行部80を見ながら、補助領域54が有効ライン上を通過するタイミングを察知し、中回転リール42及び右回転リール43にそれぞれ対応したストップスイッチ50を操作する。
【００８５】
なお、本実施の形態における左回転リール41には、図７に示すように、「スター」の図柄51の上下５個の範囲内に「スイカ」の図柄51が配置されている。したがって、左回転リール41については、「スター」に対応する補助領域54が有効ライン上を通過するタイミングでストップスイッチ50を操作していれば、当選抽選手段120の抽選の結果、スイカ当選となった場合にも、「スイカ」の図柄51がいずれかの有効ライン上に停止することとなる。そして、左回転リール41が停止した場合に、いずれかの有効ライン上に「スイカ」の図柄51が停止したときに、中回転リール42及び右回転リール43について、上述のようにストップスイッチ50を操作すれば、スイカ当選を入賞させることができる。
【００８６】
（作用・効果）
上述の如く、本実施の形態では、左回転リール41における所定の図柄51が有効ライン上に停止することにより入賞が定まる１リール確定役としてスター当選を有している。また、３個全ての回転リール40における所定の図柄51が有効ライン上に停止することにより入賞が定まる複数リール確定役としてスイカ当選を有している。
そして、左回転リール41では、前記スター当選を構成する図柄51である「スター」が停止目標図柄52として設定され、この「スター」に対応する補助領域54内に第１端部81が位置するように斜行部80が設けられている。また、中回転リール42及び右回転リール43では、前記スイカ当選を構成する図柄51である「スイカ」が停止目標図柄52として設定され、この「スイカ」に対応する補助領域54内に第１端部81が位置するように斜行部80は設けられている。
【００８７】
そして、左回転リール41では、前記「スター」に対応する補助領域54が表示窓14内に設けられた有効ライン上を通過するタイミングで、ストップスイッチ50を操作することにより、前記「スター」を有効ライン上に停止させることができる。具体的には、具体的には、左回転リール41のリールテープ30に設けられた斜行部80を見ながら、補助領域54が有効ライン上を通過するタイミングを察知し、左回転リール41に対応したストップスイッチ50を操作する。
また、中回転リール42及び右回転リール43では、前記「スイカ」に対応する補助領域54が表示窓14内に設けられた有効ライン上を通過するタイミングで、ストップスイッチ50を操作することにより、前記「スイカ」を有効ライン上に停止させることができる。具体的には、中回転リール42及び右回転リール43のそれぞれに貼付されているリールテープ30に設けられた斜行部80を見ながら、補助領域54が有効ライン上を通過するタイミングを察知し、中回転リール42及び右回転リール43にそれぞれ対応したストップスイッチ50を操作する
すなわち、スター当選の入賞が定まる左回転リール41では、このスター当選を構成する図柄51である「スター」を容易に停止させることが可能となっており、また、スイカ当選の入賞が定まる中回転リール42及び右回転リール43では、このスイカ当選を構成する図柄51である「スイカ」を容易に停止させることが可能となっている。
【００８８】
これにより、技量レベルの低い遊技者でも、当選した当選役を効率良くかつ確実に入賞させることができることとなるため、技量レベルの優劣による得失を抑えることができることとなる。
【図面の簡単な説明】
【００８９】
【図１】第１の実施の形態にかかる遊技機であるスロットマシンの正面図である。
【図２】第１の実施の形態にかかる遊技機であるスロットマシンの入力、制御及び出力を示すブロック図である。
【図３】第１の実施の形態にかかるリールユニットの外観斜視図である。
【図４】第１の実施の形態にかかるスロットマシンの表示窓付近を示す拡大正面図である。
【図５】第１の実施の形態にかかる回転リールの周囲に貼付されるリールテープを示す図面である。
【図６】第２の実施の形態にかかる回転リールの周囲に貼付されるリールテープを示す図面である。
【図７】第３の実施の形態にかかる回転リールの周知に貼付されるリールテープを示す図面である。
【符号の説明】
【００９０】
10    スロットマシン                11    メダル投入口
12    メダル排出口                  13    メダル受皿
14    表示窓                        15    投入スイッチ
16    ベットスイッチ                17    精算スイッチ
18    操作部                        20    スタートスイッチ
21    枠体                          22    リールユニット
24    ホッパー                      25    駆動装置
30    リールテープ
40    回転リール                    41    左回転リール
42    中回転リール                  43    右回転リール
50    ストップスイッチ
51    図柄                          52    停止目標図柄
52a   第１停止目標図柄              52b   第２停止目標図柄
53    表示領域                      54    補助領域
54a   第１補助領域                  54b   第２補助領域
60    演出表示部
65    切り欠き部                    80    斜行部
80a   第１斜行部                    80b   第２斜行部
81    第1端部                      82    第２端部
91    中段ライン                    92    上段ライン
93    下段ライン                    94    右上がりライン
95    右下がりライン
100   制御装置                      110   遊技制御手段
120   当選抽選手段                  122   乱数発生手段
124   乱数抽出手段                  126   当選判定テーブル
128   当選判定手段                  130   停止制御手段
140   入賞判定手段                  150   演出制御手段
【図１】
2008220756.tif 000003
【図２】
2008220756.tif 000004
【図３】
2008220756.tif 000005
【図４】
2008220756.tif 000006
【図５】
2008220756.tif 000007
【図６】
2008220756.tif 000008
【図７】
2008220756.tif 000009